(57)【要約】 【解決手段】  衣類の打合わせ部などに取り付けられているボタンによる係止具に取り付けるものであって、帯状のシリコンゴムからなる弾性片の端部にズボンのボタンを係入させ得るボタン穴を有し、前記弾性片のもう一方の端部には、ズボンのボタン穴に係合させるボタン部が突出して形成されている調整用部材。【効果】  弾性片の弾性による適度の伸縮により、ズボンやスカートのウエスト部分、ワイシャツ首元の打ち合わせ部分などを極めて簡単な構造の部材により、調整することができる。また、シリコンゴムが他の合成ゴムなどの弾性体に比べ、高い反発弾性や耐候性を有しており、また、薄くても引っ張り強度を備えているために、調整用部材としての機能を十分に発揮することができる。【選択図】    図１
2004329878.tif 000002
【特許請求の範囲】
【請求項１】
被着体ボタン部と被着体ボタン係合部により互いに係止する係合箇所において使用するものであって、
被着体ボタン部を係止するための調整用ボタン係合部と、
被着体ボタン係合部に係合する調整用ボタン部とを有する調整用部材であり、
調整用ボタン係合部と調整用ボタン部が延長調整部により接続されていることを特徴とする調整用部材。
【請求項２】
帯状の弾性片の一端に、被着体ボタン穴に係合させ得るボタン部が弾性片の表面から突出するように取付けられ、前記弾性片には被着体ボタンを係合するための弾性片表面から裏面にまで開口されたボタン穴が形成されていることを特徴とする調整用部材。
【請求項３】
ボタン部は表面が円形形状で側面がテーパー状に形成されているものであって、ボタン穴は弾性片の長手方向の長孔となっていることを特徴とする請求項１または２に記載の調整用部材。
【請求項４】
弾性片の素材はシリコンゴムであり、弾性片全体がシリコンゴムから形成されていることを特徴とする請求項１、２または３のいずれかに記載の調整用部材。
【請求項５】
被着体はズボン、ワイシャツなどの衣類であることを特徴とする請求項１、２、３または４のいずれかに記載の調整用部材。
【発明の詳細な説明】
【技術分野】
【０００１】
本件発明は被着体のボタン部とボタン係合部との係合箇所において、被着体のボタン部とボタン係合部との距離が足りないために係合が合わない場合に、かかる距離を調節するための部材であり、特にズボンやワイシャツなどといった衣類の打ち合わせ部のボタンとボタン穴との距離を調整するものである。
【背景技術】
【０００２】
通常、ズボンの打ち合わせ部のボタンを係合するボタン穴に係止するといった係合手段で、ズボンのウエストをしっかりと固定していた。しかし、ウエストのサイズが小さなズボンをはく場合や、太ってウエストが大きくなり昔着用していたズボンのウエストが入らない場合がある。
従来、ワイシャツやズボンやスカートなどの衣服のウエストサイズを調整するための技術が存在するが、それは摺動レールを備え、スプリングやガイドなどの多くの部材から形成されるものであった。
(例えば特許文献１、特許文献２参照)
【０００３】
【特許文献１】特開２００１−８７０１０号公報（第2-3頁、第1-2図）
【特許文献２】特開２００２−１７４０９号公報（第2-3頁、第1-2図）
【発明の開示】
【発明が解決しようとする課題】
【０００４】
しかし、これらの従来技術は摺動レールやスプリングなど多くの部材からなるものであり、簡単な構造のものではなかった。特にズボンやスカートのウエストサイズを調整するために用いる部材は、絶えず打ち合わせ部に取付けられるものであり、できるだけ簡単な構造で生産コストも安くできるものであることが好ましい。
しかも、これら従来技術は打ち合わせ部がホックと受片からなる場合に使用できるものであって、打ち合わせ部がボタンとボタン穴の場合に使用できるものではなかった。
つまり、ボタンとボタン穴といった係合手段による係合はズボンの他にもワイシャツの首元や手首の打ち合わせ部分や衣類以外になど、あらゆる箇所で係合のために使用されている。これらのボタンによる係合においてボタンがボタン係合部に届かない場合に、その距離、間隔を簡単に調節することができる調節部材が望まれていた。
【課題を解決するための手段】
【０００５】
そこで本発明にかかる調整用部材は、被着体ボタン部と被着体ボタン係合部により互いに係止する係合箇所において使用するものであって、
被着体ボタン部を係止するための調整用ボタン係合部と、被着体ボタン係合部に係合する調整用ボタン部とを有する調整用部材であり、調整用ボタン係合部と調整用ボタン部が延長調整部により接続されていることを特徴とするものである。
ここで、被着体ボタン部と被着体ボタン係合部による係合とは、主にボタンとボタン穴による係合をさすものであるが、シャンクボタンやスナップといったボタンとボタン穴以外による係合であってもよい。
【０００６】
また、帯状の弾性片の一端に、被着体ボタン穴に係合させ得るボタン部が弾性片の表面から突出するように取付けられ、前記弾性片には被着体ボタンを係合するための弾性片表面から裏面にまで開口されたボタン穴が形成されていることを特徴とするものである。
このように、弾性片は調整用ボタン係合部としてボタン穴が形成され、弾性片の端部には調整用ボタン部としてボタン部が形成されているため、弾性片が延長調整部として両者を接続している。
これにより、例えばズボンなどの被着体のズボンボタンとズボンボタン穴との距離、間隔を調整することができ、ズボンの着用者が太ってしまってズボンのウエストサイズに合わなくなってしまっても本発明を使用することで、ズボンをはくことができる。しかも弾性片により簡単な一個の部材によって、ズボンの打ち合わせ部のボタンとボタン穴との距離を調整することができる。
【０００７】
また、ボタン部は表面が円形形状で側面がテーパー状に形成されているものであって、ボタン穴は弾性片の長手方向の長孔となっていることが好ましい。
これにより、本発明の調整用部材を使用したときに、ボタン部がテーパー状に形成されることで、ボタン部を係合するズボンなどのボタン穴に通しやすく両者を係合させやすい形状となっている。また、テーパー状に形成されているため、係合してから容易にズボンのボタン穴から抜けることがない。
そして、調整用部材のボタン穴が弾性片の長手方向に沿って形成されることで、調整用部材がコンパクトに形成され、一個の簡単かつ小さな部材によりズボンの打ち合わせ部の調整することが可能になる。
【０００８】
また、弾性をもつ素材とはシリコンゴムであり、弾性片とボタン部の全体がシリコンゴムから形成されていることが好ましい。
【０００９】
これにより、伸縮性をもち、高い耐久性をもつシリコンゴムにより、全体が形成されていることで、伸びやすく壊れにくい調整用部材を提供することができる。また、ボタン部も伸縮性をもつシリコンゴムから形成されているので、ズボンの打ち合わせ部の距離調節といった場合などボタンがその係合するボタン穴に入りにくい状態でも、ボタン部を曲げるなどしてボタン穴と係合しやすくしている。
【００１０】
また、被着体はズボン、ワイシャツなどの衣類であることが好ましい。衣類は着用者の体のサイズの変更などで調整用の部材が必要になることが多く、また簡易な調整部材であるために、使用し易い調整用部材を提供することができる。
【発明の効果】
【００１１】
請求項１記載の発明によって、被着体におけるボタンで係合されている箇所での係合状態が合わずに係合できない場合、つまり被着体ボタン部と被着体ボタン係合部との距離、間隔が所定の間隔よりも短い場合に、本発明の調整用部材によりボタンの距離、間隔を調整することができる。
【００１２】
請求項２記載の発明によって、ズボンボタンなどのボタンがボタン穴まで届かない場合に、その距離、間隔を調整することができる。例えば、ズボンの着用者が太ってしまってズボンのウエストサイズに合わなくなってしまっても本発明を使用することで、ズボンをはくことができる。しかも延長調節部が弾性片により形成されているため、簡単な一個の部材によって、ズボンの打ち合わせ部のボタンとボタン穴との距離を調整することができる。
【００１３】
請求項３記載の発明によって、本発明の調整用部材を使用したときに、ボタン部がテーパー状に形成されることで、ボタン部を係合するズボンなどのボタン穴に通しやすく両者を係合させやすい形状となっている。また、テーパー状に形成されているため、係合してから容易に被着体のボタン穴から抜けることがない。
そして、調整用部材のボタン穴が弾性片の長手方向に沿って形成されることで、調整用部材がコンパクトに形成され、一個の簡単かつ小さな部材によりズボンの打ち合わせ部の調整することが可能になる。
【００１４】
請求項４記載の発明によって、伸縮性をもち、高い耐久性をもつシリコンゴムにより、全体が形成されていることで、伸びやすく壊れにくい調整用部材を提供することができる。また、ボタン部も伸縮性をもつシリコンゴムから形成されているので、ズボンの打ち合わせ部の距離調節といった場合などボタンがその係合するボタン穴に入りにくい状態でも、ボタン部を曲げるなどしてボタン穴と係合しやすくしている。
【００１５】
請求項５記載の発明によって、ズボンやワイシャツの首周り付近、腕のカフスボタンなどの衣類は、着用者の体型などによりすぐに調整の必要があるものであり、これらの調整のために簡単な調整用部材で調整することが可能となる。
【発明を実施するための最良の形態】
【００１６】
本発明の実施の一例について、図面に即して説明する。
図１は本発明の調整用部材１の一例を示す斜視図であり、図２は本発明の調整用部材１の一例を示す平面図であり、図３は本発明の調整用部材１の一例を示す底面図である。
なお、以下の記載例はあくまでも一例であり、これらに限定されないことはいうまでもない。
【００１７】
本発明の調整用部材１の一例は図１〜図３に示すように、弾性片２とボタン部３からなるものである。弾性片２は帯状の形状をもつもので角が丸められたものである。弾性片２の右側方の表面から突出するようにボタン部３が取付けられている。図３の底面図に示すように、ボタン部３は取付台４を介していることで弾性片２の表面から突出して形成されている。取付台４は円筒状の形状をもち、右側の側辺が弾性片２の右側の側辺と同一辺上に形成されている。そして取付台４の平面からみた場合の取付台表面の円形の中心点と、ボタン部３の平面からみた場合のボタン部表面の円形の中心点が垂直方向に同一線上に形成されるように形成されている。
【００１８】
弾性片２にはボタン穴５が開口されている。ボタン穴５は弾性片２の表面から裏面にかけて開口されており、ズボンなどに取付けられたボタンを取付けるものである。ボタン穴５は弾性片２の中央右よりの位置から左側方にかけて開口されている長孔である。つまりボタン穴５はほぼ弾性片２の中央付近から取付台４とボタン部５が取付けられている側方ともう一方の側方にかけて形成されているものである。ボタン穴５の幅は弾性片の平面における縦方向の長さの約３分の１程度の長さをもつものである。
【００１９】
ボタン部３は図１、図３に示すようにテーパー状の形状をもつものである。ボタン部３の大きさは被着体ボタン部と同程度であることが好ましいが、それよりも若干小さいものや大きいものでもよい。本実施例のボタン部３は被着体ボタン部と若干小さいボタン部３を形成している。平面からみた場合のボタン部中央６には模様を付したものを取付けてもよく、その他使用者が使用し易いように滑り止などを取付けてもよい。
【００２０】
本実施例の調整用部材１は弾性片２のみならずボタン部３や取付台４など全体がシリコンゴムにより形成されている。シリコンゴムは弾性や伸縮性をもつ素材であり、高い強度をもつものである。これにより本実施例の場合、調整用部材全体が伸縮性をもち、ボタン部３や取付台４も伸縮性をもつようになっている。調整用部材１の全体が弾性をもつ素材であることは必要がないが、少なくとも弾性片２の一部が弾性をもち、伸縮性をもつことが必要である。
【００２１】
本実施例の調整用部材１の使用方法について説明する。
図４は本実施例の調整用部材１をズボン９の打ち合わせ部のズボンボタン７に取付けた状態の一例を示す斜視図、図５は本実施例の調整用部材１をズボンの打ち合わせ部に取付けて調整している状態を示す正面図である。
【００２２】
本実施例はズボンの打ち合わせ部に取付けられたズボンボタン７と、ズボンボタン７とに係合するズボンボタン穴８との距離を調整するために使用された調整用部材１について説明する。
通常ズボン９を着用者が着用して腰付近で打ち合わせ部を係止させるために、打ち合わせ部にフックとホックにより係合させる他、ズボンボタン７とズボンボタン穴８により係合させる場合がある。
【００２３】
図４に示すように、通常ズボンボタン７は打ち合わせ部の右側に形成されており、ズボンボタン穴は打ち合わせ部の左側に形成されている。本実施例の調整用部材１のボタン穴５に、ズボンボタン７と係合させる。そして、調整用部材１のボタン部３を、ズボン９のズボンボタン穴８の方向に向けると、ズボン９のズボンボタン７より調整用部材１のボタン部３の位置がズボンボタン穴８に近くになる。
そして、図５に示すように、調整用部材１のボタン部３をズボンボタン穴８に係合することで、ズボンのボタン位置を調整することができる。図５(ｂ)はズボンボタン７に調整用部材１のボタン穴４に係合させている状態を示し、図５(ａ)は、その(ｂ)の状態から調整用部材のボタン部３をズボンボタン穴８に通して係合させて、使用している状態を示している。
【００２４】
この調整用部材１の使用により、ズボンのボタンの位置を調整することができ。すなわち、ズボンの着用者が太ってしまってズボンのウエストサイズに合わなくなってしまっても本発明を使用することで、ズボンをはくことができる。なおかつボタン部３やボタン穴５など全体が弾性をもつ素材から形成されているために、少々ボタンの係合がきつい状態においても、調整用部材１やボタン部３、ボタン穴４をひねるなどしてズボンボタン７やズボンボタン穴８と係合することができる。また、ボタン部３の側面がテーパー状に形成されていることで、最後にボタン部３をズボンボタン穴８に係合させることが困難な場合でも、ボタン部３をズボンボタン穴８に係合させやすくし、いったん係合すると抜けにくくしている。
【００２５】
次に、ワイシャツ１０の襟１１を首元で打ち合わせる襟ボタン１２と襟ボタン穴１３に対して、調整する調整用部材１の使用方法を説明する。
この場合も、図７に示すように、調整用部材１のボタン部３を襟ボタン穴１３に係合させ、襟ボタン１２を調整用部材１のボタン穴５に係合させる。このようにして、着用者がワイシャツ１０の首まわりがきつくなったとしても、延長調整部である弾性片２によりボタンの距離、間隔を調整することができる。
なお、ワイシャツの襟ボタン１２の場合は、ズボンボタン７と異なり、ボタン径を小さくしつつ、弾性片も薄手にすることが好ましい。
【００２６】
次に、図８に示すように、手首１４付近でシャツの袖１５を打ち合わせるカフスボタン１６とカフスボタン穴１７についても同様に、調整用部材１のボタン部３をカフスボタン穴１７に係合させ、カフスボタン１６を調整用部材１のボタン穴５に係合させて、調整用部材１による調整をすることができる。
なお、この場合であっても、カフスボタン１６に合わせてボタン径を小さくするなど、調整用部材１のボタンのサイズを変更することが好ましい。
【００２７】
また、本件発明は図示しないが、ワイシャツ、ズボンやスカートなどの衣服の打ち合わせ部に使用する他、事務用品やカバンやバッグなどの止め片がボタンの場合といった衣服以外にも使用することができる。旅行帰りに土産品などを入れたカバンやバッグが、行きのときより荷物が多くなり止め片が止まらない場合は、本発明の調整用部材１により止め片の位置を調整して止めることができる。
【００２８】
また、本発明の第２実施例として、図６に示すものがある。
本発明の第２実施例は、調整用部材１に形成された長孔のボタン穴５の形状が縦方向に形成されているものである。その他、図示しないが、ボタン穴５が輪ゴムのような形状をもつものなどであってもよい。
その他、被着部のボタンがシャンクボタンやスナップといったボタンに凹凸のある一対のボタン留め具であってもよく、この場合に調整用部材１は図９に示すような形態の実施例となる。すなわち、ボタン部が凹部を有する凹ボタン部１８であり、弾性片２に凸部をもつ凸ボタン部１９が形成されている。この凹ボタン部１８をシャンクボタンやスナップの凸ボタンと係合させ、凸ボタン部１９をシャンクボタンやスナップの凹ボタンと係合させて、ボタンの距離、間隔を調整することができる。図９(ａ)は凸ボタン部１９が認識できるように示した斜視図であり、図９(ｂ)は凹ボタン部１８が認識できるように示した斜視図である。
【図面の簡単な説明】
【００２９】
【図１】図１は本発明である調整用部材の一例を示す斜視図である。
【図２】図２は本発明である調整用部材の一例を示す平面図である。
【図３】図３は本発明である調整用部材の一例を示す底面図である。
【図４】図４は本発明の調整用部材のボタン穴に、ズボンの打ち合わせ部のズボンボタンに係合させた状態を示す斜視図である。
【図５】図５は本発明の調整用部材をズボンの打ち合わせ部に係合させ、ボタン部をズボンボタン穴に係合させる状態を示す正面図である。
【図６】図６は本発明の第２実施例を示す斜視図である。
【図７】図７は本発明の調整用部材をワイシャツの襟付近の打ち合わせ部に使用した状態を示す正面図である。
【図８】図８は本発明の調整用部材をシャツのカフスボタンに使用した状態を示す正面図である。
【図９】図９はシャンクボタンやスナップといった種類のボタンに使用する状態を示す斜視図である。
【符号の説明】
【００３０】
１…調整用部材
２…弾性片
３…ボタン部
４…取付台
５…ボタン穴
６…中央部
７…ズボンボタン
８…ズボンボタン穴
９…ズボン
１０…ワイシャツ
１１…襟
１２…襟ボタン
１３…襟ボタン穴
１４…手首
１５…袖
１６…カフスボタン
１７…カフスボタン穴
１８…凹ボタン
１９…凸ボタン
【図１】
2004329878.tif 000003
【図２】
2004329878.tif 000004
【図３】
2004329878.tif 000005
【図４】
2004329878.tif 000006
【図５】
2004329878.tif 000007
【図６】
2004329878.tif 000008
【図７】
2004329878.tif 000009
【図８】
2004329878.tif 000010
【図９】
2004329878.tif 000011